(57)【要約】【課題】ユーザが複数の携帯型映像音声再生装置から手軽に好みのコンテンツを視聴することが可能な車載用映像音声再生システムを提供する。【解決手段】プレイリスト入力手段１０４ａ〜１０４ｄが携帯型映像音声再生装置１１０ａ〜１１０ｄのプレイリストを入力すると、プレイリスト収集手段１０１がこれを収集し、統合プレイリスト作成手段１０２が統合プレイリストを作成する。統合プレイリストはプレイリスト表示手段１１２ａ〜１１２ｄに表示される。ソース選択手段１０３ａ〜１０３ｄは視聴するプレイリストの携帯型映像音声再生装置を選択する。【選択図】図１
2007128609.tif 000002
【特許請求の範囲】
【請求項１】
映像及び音声の少なくとも一方を有するコンテンツがそれぞれ記憶されている複数の携帯型映像音声再生装置から、所望のコンテンツが記憶された１つの前記携帯型映像音声再生装置をそれぞれ選択して映像及び音声の少なくとも一方を再生する複数の車載用映像音声再生装置を備えた車載用映像音声再生システムにおいて、
前記携帯型映像音声再生装置ごとに、それぞれ記憶された前記コンテンツを入力する複数のコンテンツ入力手段と、
前記携帯型映像音声再生装置ごとに、それぞれ再生するコンテンツを示すプレイリストを入力する複数のプレイリスト入力手段と、
前記複数のプレイリスト入力手段によって入力された前記プレイリストを収集するプレイリスト収集手段と、
前記プレイリスト収集手段によって収集された複数の前記プレイリストを前記携帯型映像音声再生装置と前記プレイリストとが対応するように１つの統合プレイリストを作成する統合プレイリスト作成手段と、
前記統合プレイリスト作成手段で作成された前記統合プレイリストを表示するプレイリスト表示手段と、
前記統合プレイリスト表示手段に表示された前記統合プレイリストから視聴する前記コンテンツが記憶された前記携帯型映像音声再生装置をユーザが選択するための複数のソース選択手段とを、
備えたことを特徴とする車載用映像音声再生システム。
【請求項２】
映像及び音声の少なくとも一方を有するコンテンツがそれぞれ記憶されている複数の携帯型映像音声再生装置から、所望のコンテンツが記憶された１つの前記携帯型映像音声再生装置を、それぞれ複数の箇所で選択して映像及び音声の少なくとも一方を再生する車載用映像音声再生方法において、
前記携帯型映像音声再生装置ごとに、それぞれ記憶された前記コンテンツを入力するステップと、
前記携帯型映像音声再生装置ごとに、それぞれ再生するコンテンツを示すプレイリストを入力するステップと、
入力された前記プレイリストを収集するステップと、
収集された複数の前記プレイリストを前記携帯型映像音声再生装置と前記プレイリストとが対応するように１つの統合プレイリストを作成するステップと、
作成された前記統合プレイリストを表示するステップと、
表示された前記統合プレイリストから視聴する前記コンテンツが記憶された前記携帯型映像音声再生装置をユーザが選択するステップとを、
備えたことを特徴とする車載用映像音声再生方法。
【発明の詳細な説明】
【技術分野】
【０００１】
本発明は、自動車の前部座席や後部座席などの複数の箇所で、それぞれ携帯型映像音声再生装置から映像音声データを入力し、入力された映像音声データを各々独立に選択して再生する車載用映像音声再生システム及び車載用映像音声再生方法に関する。
【背景技術】
【０００２】
車載用ＤＶＤ（Digital Versatile Disc）プレーヤによって車内でも映画を鑑賞することが可能になってきている。また、車載用ＨＤＤ（Hard Disc Drive）にＣＤ（Compact Disc）の音楽データを圧縮して大量の音楽コンテンツを記憶することができる音楽サーバの出現により、車内での楽しみ方の幅も広がってきている。特に、後部座席の乗客のためにＬＣＤ（Liquid Crystal Display）を設けて映画などを鑑賞することは、リヤシートエンターテインメントと呼ばれ、そのような楽しみ方が普及しつつある。
【０００３】
車内に映像や音声データなどのマルチメディア情報を流すための車内ＬＡＮ（Local Area Network）インタフェース規格として、ＭＯＳＴ(Media Oriented Transport)やＩＤＢ(ITS/International Data Bus)−１３９４がある。これらの車内マルチメディアＬＡＮインタフェースを用いると、リヤシートを含むすべての席で音楽や映画を鑑賞することが可能になるとともに、今までダッシュボードに設置されていた車載用映像音響機器を任意の位置に複数台設置することが可能になる。そして異なる内容の映画や音楽などのコンテンツや、プレイやストップなどの機器の制御コマンドを同時に転送することが可能になる。ＭＯＳＴやＩＤＢ−１３９４の詳細については、例えば、下記の非特許文献１に記載されている。
【０００４】
一方、個人が持ち歩きながら楽しむことが可能な携帯型映像音声再生装置は既に広く普及している。携帯型映像音声再生装置としては、ＭＰ３（MPEG-1 audio layer3）やＡＡＣ（Advanced Audio Coding）などで圧縮された音声データを再生して楽しむ携帯型オーディオ再生装置、オーディオ再生機能付き携帯電話などがある。また、ＪＰＥＧ（Joint Photographic Experts Group）などで圧縮された静止画やＭＰＥＧ（Moving Picture Experts Group）−４などで圧縮された動画を見て楽しむ携帯型ビデオ再生装置、カメラ機能付き携帯電話などもある。これらの携帯型映像音声再生装置は音楽や映像の圧縮データをフラッシュＲＯＭ（Flash Read Only Memory）やＨＤＤに大量に記憶することが可能である。
【０００５】
しかしながら、大量のデータを記憶するとその中から希望のコンテンツデータを探し出すことが困難になる。そのため、例えばインターネット上のＣＤＤＢ（CD Database）のようなオーディオＣＤの曲名データなどを提供するサーバから曲名を取得し、ジャンルごとに分類して携帯型オーディオ再生装置に保存することが行われている。また、携帯型映像音声再生装置では、記憶されているコンテンツの中から、視聴するコンテンツを前もって選択してプレイリストに登録しておくと、プレイリストに登録されたコンテンツの中で、ランダム再生、繰り返し再生などをすることが可能である。
【０００６】
前述したように、音楽サーバの出現により、車内でＣＤの音楽データを圧縮して大量の音楽コンテンツを記憶することは可能である。しかしながら、宅内で行われているようなインターネット経由で音楽データをダウンロードしたり、ＤＶＤやＨＤＤレコーダでテレビ放送を任意の時刻に録画したりすることは、インターネットへの接続に使用料金がかかる携帯電話を使用しなければならなかったり、駐車中に電力を消費することができなかったりするため、車内では宅内と同じようにしてコンテンツを記憶させることは難しかった。
【０００７】
そのため、宅内のコンテンツを車に移動させるために前述の携帯型映像音声再生装置を利用することが考えられる。そして実際、携帯型映像音声再生装置を車載用映像音声再生装置に接続できるものが普及し始めている。
【０００８】
しかしながら、前述の車内マルチメディアＬＡＮインタフェースが普及し、乗員が各々携帯型映像音声再生装置を持ち寄り、それぞれの携帯型映像音声再生装置を車内マルチメディアＬＡＮインタフェースに接続し、それぞれが独立に再生コンテンツの選択を可能にした場合、複数の携帯型映像音声再生装置に含まれるコンテンツから再生するコンテンツを容易に選択する手段がなかった。
【０００９】
車載用音響装置において、ＣＤチェンジャやラジオチュ−ナなどの複数のソースを複数のユーザが使用する際、割り込み的にソースを切り換える技術は、下記の特許文献１に開示されている。
【非特許文献１】デザインウェーブマガジン  ＣＱ出版社  ２００２年１２月、第４０〜５０頁
【特許文献１】特開２００２−１３５８８２号公報（要約）
【発明の開示】
【発明が解決しようとする課題】
【００１０】
しかしながら、特許文献１に記載された従来の車載用映像音声再生装置では、複数の携帯型映像音声再生装置を接続することに対する考慮がなされておらず、ユーザが複数の携帯型映像音声再生装置に含まれる大量のコンテンツから好みのコンテンツを探し出して選択することが難しいという問題があった。
【００１１】
本発明は、上記の問題点を解決するためになされたもので、その目的は、複数の携帯型映像音声再生装置を車内マルチメディアＬＡＮインタフェースに接続した場合でも、複数のユーザが手軽にそれぞれ好みのコンテンツを視聴することが可能な車載用映像音声再生システム及び車載用映像音声再生方法を提供することにある。
【課題を解決するための手段】
【００１２】
上記の目的を達成するために、本発明は、映像及び音声の少なくとも一方を有するコンテンツがそれぞれ記憶されている複数の携帯型映像音声再生装置から、所望のコンテンツが記憶された１つの前記携帯型映像音声再生装置をそれぞれ選択して映像及び音声の少なくとも一方を再生する複数の車載用映像音声再生装置を備えた車載用映像音声再生システムにおいて、
前記携帯型映像音声再生装置ごとに、それぞれ記憶された前記コンテンツを入力する複数のコンテンツ入力手段と、
前記携帯型映像音声再生装置ごとに、それぞれ再生するコンテンツを示すプレイリストを入力する複数のプレイリスト入力手段と、
前記複数のプレイリスト入力手段によって入力された前記プレイリストを収集するプレイリスト収集手段と、
前記プレイリスト収集手段によって収集された複数の前記プレイリストを前記携帯型映像音声再生装置と前記プレイリストとが対応するように１つの統合プレイリストを作成する統合プレイリスト作成手段と、
前記統合プレイリスト作成手段で作成された前記統合プレイリストを表示するプレイリスト表示手段と、
前記統合プレイリスト表示手段に表示された前記統合プレイリストから視聴する前記コンテンツが記憶された前記携帯型映像音声再生装置をユーザが選択するための複数のソース選択手段とを、
備えたことを特徴とする。
【００１３】
また、本発明は、映像及び音声の少なくとも一方を有するコンテンツがそれぞれ記憶されている複数の携帯型映像音声再生装置から、所望のコンテンツが記憶された１つの前記携帯型映像音声再生装置を、それぞれ複数の箇所で選択して映像及び音声の少なくとも一方を再生する車載用映像音声再生方法において、
前記携帯型映像音声再生装置ごとに、それぞれ記憶された前記コンテンツを入力するステップと、
前記携帯型映像音声再生装置ごとに、それぞれ再生するコンテンツを示すプレイリストを入力するステップと、
入力された前記プレイリストを収集するステップと、
収集された複数の前記プレイリストを前記携帯型映像音声再生装置と前記プレイリストとが対応するように１つの統合プレイリストを作成するステップと、
作成された前記統合プレイリストを表示するステップと、
表示された前記統合プレイリストから視聴する前記コンテンツが記憶された前記携帯型映像音声再生装置をユーザが選択するステップとを、
備えたことを特徴とする。
【発明の効果】
【００１４】
本発明においては、各々の携帯型映像音声再生装置の再生コンテンツを示すプレイリストを収集して統合プレイリストを作成、表示し、ユーザに視聴する携帯型映像音声再生装置を選択させるようにしたので、複数の携帯型映像音声再生装置に含まれるコンテンツから、複数のユーザがそれぞれ好みのものを手軽に見つけて視聴することが可能になるという効果が得られる。
【発明を実施するための最良の形態】
【００１５】
以下、本発明を図面に示す好適な実施の形態に基づいて詳細に説明する。
＜第１の実施の形態＞
図１は本発明に係る車載用映像音声再生方法を実施する車載用映像音声再生システムの第１の実施の形態の構成を示すブロック図であり、図２は図１に示した車載用映像音声再生システムの処理手順を示すフローチャートであり、図３Ａ〜図３Ｄは図１に示した車載用映像音声再生装置に接続される携帯型映像音声再生装置のプレイリストの例であり、図４は図１に示した車載用映像音声再生システムを構成する統合プレイリスト作成手段が作成した統合プレイリストの表示画面例である。なお、図３Ａ〜図３Ｄ及び図４に示した、例えば「R・・・」はアルファベットで記載されるべきタイトルを頭文字だけで省略して表したもので、「P・・・・ S・・・・・」はアルファベットで記載されるべきアーティスト名を頭文字だけで省略して表したものである。
【００１６】
ＭＯＳＴやＩＤＢ−１３９４には制御のためのＣＰＵが接続される。図１において、ＭＯＳＴやＩＤＢ−１３９４が車内マルチメディアＬＡＮインタフェース１１５として示され、これに接続されるＣＰＵに各種の機能を持たせた構成になっている。ここでは、４台の携帯型映像音声再生装置Ａ１１０ａ〜携帯型映像音声再生装置Ｄ１１０ｄを接続するための映像音声入力手段Ａ１００ａ〜映像音声入力手段Ｄ１００ｄを備え、この映像音声入力手段Ａ１００ａ〜映像音声入力手段Ｄ１００ｄが車内マルチメディアＬＡＮインタフェース１１５に接続されている。車内マルチメディアＬＡＮインタフェース１１５には、携帯型映像音声再生装置Ａ１１０ａ〜携帯型映像音声再生装置Ｄ１１０ｄからコンテンツが入力されたとき、それぞれのプレイリストを入力するためプレイリスト入力手段Ａ１０４ａ〜プレイリスト入力手段Ｄ１０４ｄと、入力されたプレイリストを収集するプレイリスト収集手段１０１と、収集されたプレイリストに基づいて統合プレイリストを作成する統合プレイリスト作成手段１０２とが接続されている。
【００１７】
また、車内マルチメディアＬＡＮインタフェース１１５には、それぞれソース選択手段Ａ１０３ａ〜ソース選択手段Ｄ１０３ｄを介して、映像音声を再生する再生手段Ａ１１１ａ〜再生手段Ｄ１１１ｄが接続されている。このうち、再生手段Ａ１１１ａにはＬＣＤＡ１１２ａとスピーカ１１３とが接続され、再生手段Ｂ１１１ｂ〜再生手段Ｄ１１１ｄには、それぞれＬＣＤＢ１１２ｂ及びヘッドホンＢ１１４ｂ〜ＬＣＤＤ１１２ｄ及びヘッドホンＤ１１４ｄが接続されている。
【００１８】
上述したプレイリスト収集手段１０１、統合プレイリスト作成手段１０２、映像音声入力手段Ａ１００ａ〜映像音声入力手段Ｄ１００ｄ、プレイリスト入力手段Ａ１０４ａ〜プレイリスト入力手段Ｄ１０４ｄ、再生手段Ａ１１１ａ〜再生手段Ｄ１１１ｄはいずれも車内マルチメディアＬＡＮインタフェース１１５に接続されるＣＰＵに持たせた機能であり、各機能名称の後に付した「Ａ」、「Ｂ」、「Ｃ」、「Ｄ」はそれぞれ車内の座席位置に対応させた識別符号である。
【００１９】
ここで、再生手段Ａ１１１ａにのみスピーカ１１３が接続され、これ以外の再生手段Ｂ１１１ｂ〜再生手段Ｄ１１１ｄにヘッドホンＢ１１４ｂ〜ヘッドホンＤ１１４ｄが接続されている理由は、互いに異なるソースを同時に再生したとき、音声が混じるのを防いでユーザがコンテンツを快適に視聴するためである。また、４台の携帯型映像音声再生装置Ａ１１０ａ〜携帯型映像音声再生装置Ｄ１１０ｄにはそれぞれ図３Ａ〜図３Ｄに示すプレイリストがユーザによって前もって設定されている。そして、携帯型映像音声再生装置Ａ１１０ａ〜携帯型映像音声再生装置Ｄ１１０ｄが映像音声入力手段Ａ１００ａ〜映像音声入力手段Ｄ１００ｄに接続されたとき、プレイリスト入力手段Ａ１０４ａ〜プレイリスト入力手段Ｄ１０４ｄによって、図３Ａ〜図３Ｄに示すプレイリストが繰り返し再生されるものとする。なお、再生手段Ａ１１１ａ〜再生手段Ｄ１１１ｄ、ＬＣＤＡ１１２ａ〜ＬＣＤＤ１１２ｄ、スピーカ１１３、及びヘッドホンＢ１１４ｂ及びヘッドホンＤ１１４ｄが本発明の車載用映像音声再生システムを構成している。また、ＬＣＤＡ１１２ａ〜ＬＣＤＤ１１２ｄは本発明のプレイリスト表示手段の機能をも備えている。
【００２０】
上記のように構成された第１の実施の形態の動作について、図２のフローチャートに従って、さらに、図３Ａ〜図３Ｄに示したプレイリストの例及び図４に示した統合プレイリストの表示画面例をも参照して以下に説明する。まず、携帯型映像音声再生装置Ａ１１０ａ〜携帯型映像音声再生装置Ｄ１１０ｄが映像音声入力手段Ａ１００ａ〜映像音声入力手段Ｄ１００ｄに接続されて再生動作を開始すると、映像音声入力手段Ａ１００ａ〜映像音声入力手段Ｄ１００ｄは映像音声データを車内マルチメディアＬＡＮインタフェース１１５に送出する。そのとき、プレイリスト入力手段Ａ１０４ａ〜プレイリスト入力手段Ｄ１０４ｄはそれぞれ対応するプレイリストを車内マルチメディアＬＡＮインタフェース１１５に送出する。
【００２１】
そこで、ステップＳ２００でプレイリスト収集手段１０１はプレイリストの収集先を携帯型映像音声再生装置Ａ１１０ａに設定し（対象機器＝Ａと記載）、ステップＳ２０１で携帯型映像音声再生装置Ａ１１０ａのプレイリストを収集する。図３Ａは携帯型映像音声再生装置Ａ１１０ａのプレイリストを示している。次に、ステップＳ２０２ですべての機器、すなわち携帯型映像音声再生装置Ａ１１０ａ〜携帯型映像音声再生装置Ｄ１１０ｄのプレイリストの収集が終了したか否かを判定し、終了していなければステップＳ２０３にてプレイリストの収集先を次の機器、例えば携帯型映像音声再生装置Ｂ１１０ｂに設定し、ステップＳ２０１で携帯型映像音声再生装置Ｂ１１０ｂのプレイリストを収集し、ステップＳ２０３で携帯型映像音声再生装置Ｄ１１０ｄのプレイリストの収集が終了したと判定するまで、ステップＳ２０１〜ステップＳ２０３の処理を繰り返す。図３Ｂ〜図３Ｄはそれぞれ携帯型映像音声再生装置Ｂ１１０ｂ〜携帯型映像音声再生装置Ｄ１１０ｄのプレイリストを示している。
【００２２】
次に、ステップＳ２０４で、統合プレイリスト作成手段１０２はプレイリスト収集手段１０１で収集されたプレイリストを、そのプレイリストが設定されていた携帯型映像音声再生装置Ａ１１０ａ〜携帯型映像音声再生装置Ｄ１１０ｄと対応することが分かるように統合プレイリストを作成する。図４は作成された統合プレイリストを示している。続いて、ステップＳ２０５で、この統合プレイリストがＬＣＤＡ１１２ａ〜ＬＣＤＤ１１２ｄ（図４では１１２と記す）に表示される。そこで、ステップＳ２０６でユーザはＬＣＤＡ１１２ａ〜ＬＣＤＤ１１２ｄに表示された統合プレイリストを見て、好みの機器Ａ〜機器Ｄ、すなわち携帯型映像音声再生装置Ａ１１０ａ〜携帯型映像音声再生装置Ｄ１１０ｄのソース（映像音声）をソース選択ボタン１１６ａ〜１１６ｄによって選択する。図４に示したソース選択ボタン１１６ａ〜１１６ｄが図１に示したソース選択手段Ａ１０３ａ〜ソース選択手段Ｄ１０３ｄに対応している。
【００２３】
次に、ステップＳ２０７では、選択された携帯型映像音声再生装置Ａ１１０ａ〜携帯型映像音声再生装置Ｄ１１０ｄのソース（映像音声）が再生手段Ａ１１１ａ〜再生手段Ｄ１１１ｄに入力され、映像音声データが圧縮されている場合はデコードと適切な増幅による再生処理が行われ、ステップＳ２０８で映像信号がＬＣＤＡ１１２ａ〜ＬＣＤＤ１１２ｄに出力され、音声信号がスピーカ１１３やヘッドホンＢ１１４ｂ〜ヘッドホンＤ１１４ｄに出力される。この場合、第１の実施の形態に係る車載用映像音声再生システムでは、例えば、携帯型映像音声再生装置Ａ１１０ａから同時に再生可能なのは１つのコンテンツのみであるため、図３Ａに示したプレイリストのコンテンツを繰り返し再生させることによって、ユーザが待たされる可能性はあるが、いつかはプレイリストに載っている所望のコンテンツの視聴が可能になる。また、第１の実施の形態に係る車載用映像音声再生システムでは、ユーザ自身がプレイリストを設定しているが、これによってそのユーザが公開したくないコンテンツが、他のユーザに視聴されることはないという利点がある。
【００２４】
以上の説明によって明らかなように、本発明の第１の実施の形態によれば、複数の携帯型映像音声再生装置を車内マルチメディアＬＡＮインタフェースに接続した場合でも、複数のユーザが手軽にそれぞれ好みのコンテンツを視聴することが可能になる。
【００２５】
なお、携帯型映像音声再生装置Ａ１１０ａ〜携帯型映像音声再生装置Ｄ１１０ｄのいずれかにプレイリストが設定されていなかった場合、あるいは携帯型映像音声再生装置Ａ１１０ａ〜携帯型映像音声再生装置Ｄ１１０ｄのいずれかが映像音声入力手段Ａ１００ａ〜映像音声入力手段Ｄ１００ｄに接続されていなかった場合は、図４に示す統合プレイリストに、該当する携帯型映像音声再生装置Ａ１１０ａ〜携帯型映像音声再生装置Ｄ１１０ｄが利用できないことを表示し、プレイリストの選択ができないようにする。
【００２６】
＜第２の実施の形態＞
図５は本発明に係る車載用映像音声再生方法を実施する車載用映像音声再生システムの第２の実施の形態の構成を示すブロック図であり、図５中、図１と同一の要素には同一の符号を付してその説明を省略する。上述した第１の実施の形態では、１つのプレイリスト収集手段１０１と１つの統合プレイリスト作成手段１０２しか備えていないので、統合プレイリストの表示状態が１種類に限定されることになり、個人の好みに応じて表示状態を変更することができない構成になっている。ここで、例えば、ユーザ自身が接続した携帯型映像音声再生装置のコンテンツを強調して表示したい場合もある。第２の実施の形態はこのような要求があることを考慮してなされたもので、第１の実施の形態におけるプレイリスト収集手段１０１及び統合プレイリスト作成手段１０２を除去し、再生手段Ａ１１１ａ〜再生手段Ｄ１１１ｄにそれぞれ対応させて、プレイリスト収集手段Ａ１０１ａ及び統合プレイリスト作成手段Ａ１０２ａ〜プレイリスト収集手段Ｄ１０１ｄ及び統合プレイリスト作成手段Ｄ１０２ｄを設けたものである。これ以外は第１の実施の形態と同様に構成されているので、全体的な動作説明を省略する。
【００２７】
以上の説明によって明らかなように、本発明の第２の実施の形態によれば、複数の携帯型映像音声再生装置を車内マルチメディアＬＡＮインタフェースに接続した場合でも、複数のユーザが手軽にそれぞれ好みのコンテンツを視聴することが可能になる。また、ユーザの好みに応じて統合プレイリストの表示状態を変更することができるという効果も得られる。
【図面の簡単な説明】
【００２８】
【図１】本発明に係る車載用映像音声再生方法を実施する車載用映像音声再生システムの第１の実施の形態の構成を示すブロック図である。
【図２】図１に示した車載用映像音声再生システムの処理手順を示すフローチャートである。
【図３Ａ】図１に示した車載用映像音声再生システムに接続される携帯型映像音声再生装置のプレイリストの例である。
【図３Ｂ】図１に示した車載用映像音声再生システムに接続される携帯型映像音声再生装置のプレイリストの例である。
【図３Ｃ】図１に示した車載用映像音声再生システムに接続される携帯型映像音声再生装置のプレイリストの例である。
【図３Ｄ】図１に示した車載用映像音声再生システムに接続される携帯型映像音声再生装置のプレイリストの例である。
【図４】図１に示した車載用映像音声再生システムを構成する統合プレイリスト作成手段が作成した統合プレイリストの表示画面例である。
【図５】本発明の車載用映像音声再生方法を実施する車載用映像音声再生システムの第２の実施の形態の構成を示すブロック図である。
【符号の説明】
【００２９】
１００ａ〜１００ｄ  映像音声入力手段Ａ〜映像音声入力手段Ｄ
１０１、  プレイリスト収集手段
１０１ａ〜１０１ｄ  プレイリスト収集手段Ａ〜プレイリスト収集手段Ｄ
１０２  統合プレイリスト作成手段
１０２ａ〜１０２ｄ  統合プレイリスト作成手段Ａ〜統合プレイリスト作成手段Ｄ
１０３ａ〜１０３ｄ  ソース選択手段Ａ〜ソース選択手段Ｄ
１０４ａ〜１０４ｄ  プレイリスト入力手段Ａ〜プレイリスト入力手段Ｄ
１１０ａ〜１１０ｄ  携帯型映像音声再生装置Ａ〜携帯型映像音声再生装置Ｄ
１１１ａ〜１１１ｄ  再生手段Ａ〜再生手段Ｄ
１１２  ＬＣＤ
１１２ａ〜１１２ｄ  ＬＣＤＡ〜ＬＣＤＤ
１１３  スピーカ
１１４ｂ〜１１４ｄ  ヘッドホンＢ〜ヘッドホンＤ
１１５  車内マルチメディアＬＡＮインタフェース
１１６ａ〜１１６ｄ  ソース選択ボタン
【図１】
2007128609.tif 000003
【図２】
2007128609.tif 000004
【図３Ａ】
2007128609.tif 000005
【図３Ｂ】
2007128609.tif 000006
【図３Ｃ】
2007128609.tif 000007
【図３Ｄ】
2007128609.tif 000008
【図４】
2007128609.tif 000009
【図５】
2007128609.tif 000010